(57)【要約】【課題】配電ボックスを電線引込み用柱の正面ではなく側部に取り付けて無駄スペースを無くした柱取付け用配電ボックス構造を提供する。【解決手段】中空状の電線引込み用柱２の軸芯を中心として左側部又は右側部の何れにも取り付け可能な配電ボックス３に機器類を収容させた柱取付け用配電ボックス構造。配電ボックス３は、電線引込み用柱２に形成された柱側開口１１と連通するボックス側開口２０を柱取付け面１５ａに有し且つ正面開口部１９を挟んで左右対称位置に蝶番２８をそれぞれ設けたボックス本体１２と、何れか左右の蝶番２８に係合して前記正面開口１９を開閉自在とする蓋体１３と、からなる。そして、電線引込み用柱２の左側部又は右側部に配電ボックス３を取り付ける際には、蓋体１３の向きは同一とし、ボックス本体１２の取り付け向きを変えて該電線引込み用柱２の左側部又は右側部に取り付ける。【選択図】図７
2010028946.tif 000002
【特許請求の範囲】
【請求項１】
内部に電線を配索させる中空状の電線引込み用柱の軸芯を中心として左側部又は右側部の何れにも取り付け可能な配電ボックスに機器類を収容させた柱取付け用配電ボックス構造であって、
前記配電ボックスは、前記電線引込み用柱に形成された柱側開口と連通するボックス側開口を柱取付け面に有し且つ正面開口部を挟んで左右対称位置に蝶番をそれぞれ設けたボックス本体と、何れか左右の蝶番に係合して前記正面開口を開閉自在とする蓋体と、からなり、
前記電線引込み用柱の左側部又は右側部に前記配電ボックスを取り付ける際には、前記蓋体の向きは同一とし、前記ボックス本体の取り付け向きを変えて該電線引込み用柱の左側部又は右側部に取り付ける
ことを特徴とする柱取付け用配電ボックス構造。
【請求項２】
請求項１に記載の柱取付け用配電ボックス構造であって、
前記ボックス側開口を、前記ボックス本体の上下対象位置に２つ設けた
ことを特徴とする柱取付け用配電ボックス構造。
【発明の詳細な説明】
【技術分野】
【０００１】
本発明は、電源線や情報線等の電線を住宅敷地内に引き込むために立設される電線引込み柱の側部に配電ボックスを取り付けた柱取付け用配電ボックス構造に関する。
【背景技術】
【０００２】
例えば、電源線や情報線等の電線を住宅敷地内に引き込むための電線引込ポールに電力量計やコンセント等を収容したボックスを取り付け、主電線から分岐させた分岐線を屋内配線を介して建物内に引き込むようにした電線引込ポールが知られている（例えば、特許文献１等に記載）。
【０００３】
特許文献１に記載の技術では、ボックス底板に電線引込ポールに形成した開口と連通する電線引出し用の孔部を形成し、その孔部が形成された底板を取付け面として前記ボックスを前記電線引込ポールの正面に取り付けている。
【特許文献１】特開２００４−０８８８５４号公報
【発明の開示】
【発明が解決しようとする課題】
【０００４】
前記したように、引用文献１の技術では、ボックスを電線引込ポールの正面にしか取り付けることができないため、このボックスが取り付けられた電線引込ポールの設置場所によってはそのボックスの厚み分が邪魔になり、無駄なスペースが生じたり設置できない場合が生じる。
【０００５】
そこで、本発明は、配電ボックスを電線引込み用柱の正面ではなく側部に取り付けて無駄スペースを無くすと共に、配電ボックスを電線引込み用柱の左側部と右側部の何れにも取り付け可能となし得る柱取付け用配電ボックス構造を提供することを目的とする。
【課題を解決するための手段】
【０００６】
本発明の柱取付け用配電ボックス構造は、上記課題を解決するために、内部に電線を配索させる中空状の電線引込み用柱の軸芯を中心として左側部又は右側部の何れにも取り付け可能な配電ボックスに機器類を収容させた柱取付け用配電ボックス構造であって、前記配電ボックスは、前記電線引込み用柱に形成された柱側開口と連通するボックス側開口を柱取付け面に有し且つ正面開口部を挟んで左右対称位置に蝶番をそれぞれ設けたボックス本体と、何れか左右の蝶番に係合して前記正面開口を開閉自在とする蓋体と、からなり、前記電線引込み用柱の左側部又は右側部に前記配電ボックスを取り付ける際には、前記蓋体の向きは同一とし、前記ボックス本体の取り付け向きを変えて該電線引込み用柱の左側部又は右側部に取り付けることを特徴としている。
【発明の効果】
【０００７】
本発明の柱取付け用配電ボックス構造によれば、電線引込み用柱の軸芯を中心として左側部又は右側部の何れにも配電ボックスを取り付けることを可能としたので、柱正面しか配電ボックスを取り付けることができなかったことによる無駄スペースを無くすことができ、設置スペースの省スペース化を図ることができる。特に、本発明によれば、塀等の壁面に沿って電線引込み用柱を立てたときにスペースの有効活用が有用なものとなる。
【０００８】
また、本発明によれば、配電ボックスの電線引込み用柱への取り付けに際しては、左専用又は右専用の配電ボックスを使用することなく、ボックス本体の取り付け向きを変えるだけで電線引込み用柱の左側部と右側部の何れにも取り付けることができる。そのため、本発明によれば、配電ボックスの電線引込み用柱への取り付け位置を左側部か右側部かにするだけで、あらゆる形態の設置場所に適合できる。例えば、配線引込み用柱の右側部が壁である場合は、配電ボックスを左側部に取り付け、左側部が壁である場合は、配電ボックスを右側部に取り付けることができ、設置場所に左右され難くなる。
【発明を実施するための最良の形態】
【０００９】
以下、本発明を適用した具体的な実施形態について図面を参照しながら詳細に説明する。
【００１０】
図１は配電ボックスを電線引込み用柱に取り付けたときの構成図、図２は住宅敷地内に図１の電線引込み用柱を設置した施工例を示す図、図３は配電ボックスを電線引込み用柱の右側部に取り付けたときの要部拡大断面図、図４は配電ボックスを電線引込み用柱の左側部に取り付けたときの要部拡大断面図、図５は図３の取付け状態のときの配電ボックスの斜視図、図６は図４の取付け状態のときの配電ボックスの斜視図、図７は図５の配電ボックスの内部を透過して示す図、図８はボックス本体に蓋体を開閉自在に取り付けるための蝶番の斜視図、図９は本実施形態例と従来例の比較対照を示す図である。
【００１１】
本実施形態の柱取付け用配電ボックス構造は、図１に示す如く地表１に立設される電線引込み用柱２の軸芯を中心として左側部又は右側部の何れにも配電ボックス３を取り付け可能とし、且つ、その配電ボックス３の構造を左側部取付け専用又は右側部取付け専用とするのではなく同一ボックス構造としている。
【００１２】
前記配電ボックス３を側部に取り付けた電線引込み用柱２は、図２に示すように、建造物４が建てられた敷地５内の任意の箇所に立設され、その柱内部へと引き込んだ一次側電線に接続される配電ボックス内の機器類から引き出される二次側電線を建造物４へと配索させるための電線中継柱として機能する。この電線引込み用柱２は、敷地５を取り囲む塀６や駐車場７或いは垣根８の近傍部に立設される。図２の実線は、本実施形態の電線引込み用柱２の設置位置の一例を示し、図２の二点鎖線は、従来構造の電線引込み用柱２の設置位置を示してある。
【００１３】
電線引込み用柱２は、外部からその内部に引き込んだ一次側電線９及び後述の配電ボックス３内に収容させた機器類から引き出される二次側電線１０を配索させる中空状の円筒形状をなすポールとして形成されている。この電線引込み用柱２の上端付近には、電源線や情報線等の電線をその内部に引き込むための電線引込口（図示は省略する）が形成されている。
【００１４】
また、電線引込み用柱２の基端部寄りの上方位置には、配電ボックス３を取り付ける位置に柱側開口１１が形成されている。図３の例では、電線引込み用柱２に向かって右側に柱側開口１１を形成している。図４の例では、電線引込み用柱２に向かって左側に柱側開口１１を形成している。柱側開口１１は、後述の配電ボックス３内に収容される機器類との間に接続される一次側電線９と二次側電線１０の電線出入口となっている。
【００１５】
また、電線引込み用柱２の基端部には、建造物４へと二次側電線１０を引き出すための電線引出し口（図示は省略する）が形成されている。この電線引出し口から引き出された二次側電線１０は、図示を省略する地中に配索される地中埋設配線を介して建造物４内の屋内配線に接続される。
【００１６】
配電ボックス３は、図５〜図８に示すように、ボックス本体１２と、このボックス本体１２に対してその取り付け向きを１８０度反転させて上下にそれぞれ取り付け可能とされた蓋体１３と、からなる。
【００１７】
ボックス本体１２は、平面視長方形状をなす底板１４と、この底板１４の四辺を取り囲む側板１５，１６，１７，１８と、により機器類の取り付け口となる正面開口１９を形成した縦長の矩形箱として形成されている。
【００１８】
このボックス本体１２の長手方向における一方の側板１５は、前記電線引込み用柱２への柱取付け部位とされている。この側板１５の柱取付け面１５ａには、前記電線引込み用柱２に形成された柱側開口１１と連通するボックス側開口２０が形成されている。ボックス側開口２０は、電線引込み用柱２に取り付けられたときに上下方向となる側板１５の長手方向中心位置に長孔として形成されている。また、この側板１５の柱取付け面１５ａには、ボルト等の締結手段で電線引込み用柱２にボックス本体１２を固定するための固定用孔２１が上下両端部近傍にそれぞれ形成されている。
【００１９】
そして、前記ボックス本体１２の底板１４には、ボックス内に機器類を固定するための木板２２が配置されている。木板２２には、電力量計２３と、ＣＡＴＶ用保安器２４と、光成端箱２５と、ブレーカ２６と、電話保安器２７と、が取り付けられている。これら機器類は、あくまで一例であり、本発明はこの実施形態に限定されるものではない。
【００２０】
また、ボックス本体１２の正面開口部１９を挟んで左右対称位置には、蓋体１３を開閉自在とするための蝶番２８が設けられている。蝶番２８は、図８に示すように、ボックス本体１２側に固定される第１蝶番部材２９と、蓋体１３側に固定される第２蝶番部材３０と、これらを連結する連結ピン３１と、から構成されている。
【００２１】
第１蝶番部材２９は、ボックス本体１２の長手方向における側板１５の上端であって、前記正面開口部１９を挟んでその両側対象位置に上端近傍部と下端近傍部にそれぞれ設けられている。上端近傍部と下端近傍部にそれぞれ設けられた第１蝶番部材２９は、前記ボックス本体１２の長手方向において上下対象位置に設けられている。つまり、ボックス本体１２に対する蓋体１３の取り付けを、上下逆に１８０度反転させて取り付けることができるように蝶番２８を設けている。また、この第１蝶番部材２９には、連結ピン３１を取り付け保持させるための連結ピン保持部３２が形成されている。
【００２２】
第２蝶番部材３０は、平面視略Ｌ字状をなし、前記蓋体１３の内側であって各第１蝶番部材２９と対応する位置にそれぞれ設けられている。この第２蝶番部材３０には、前記第１蝶番部材２９に保持された連結ピン３１の先端部を挿入させるピン挿入孔３３が形成されている。このピン挿入孔３３に連結ピン３１の先端部を挿入させることで、第１蝶番部材２９と第２蝶番部材３０が連結される。
【００２３】
蓋体１３は、ボックス本体１２の正面開口部１９を閉塞し得る平面視矩形状をなし、前記蝶番２８を介してボックス本体１２に対して開閉自在に取り付けられている。この蓋体１３には、ボックス本体１２内に収容した電力量計２３を外から目視にて確認できるように透明な覗き窓２９が形成されている。覗き窓２９は、蓋体１３の長手方向における一端寄りの位置に矩形状窓として形成されている。
【００２４】
以上のように構成された柱取付け用配線ボックス構造において、例えば図３に示すように、電線引込み用柱２の右側部に配電ボックス３を取り付ける場合は、図５に示す如く向かって左側に柱取付け面１５ａが来るようにボックス本体１２を配置し、そのボックス本体１２の右側に設けた上下の第１蝶番部材２９に第２蝶番部材３０をそれぞれ係合させて右方向へ開閉可能に蓋体１３を取り付ける。次に、電線引込み用柱２に対向して柱取付け面１５ａを取り付け面として配電ボックス３を配置し、ボックス本体１２に形成したボックス側開口２０を前記柱側開口１１に一致させる。その後、ボックス本体１２の固定用孔２１にボルトを取り付けて、前記配電ボックス３を電線引込み用柱２に固定する。
【００２５】
このようにして電線引込み用柱２の右側部に配電ボックス３を取り付けた後は、外部からそのポール内部に引き込まれた一次側電線９と地中埋設配線に接続される二次側電線１０とを、前記ボックス本体１２内に収容させた機器類にそれぞれ接続する。
【００２６】
一方、例えば図４に示すように、電線引込み用柱２の左側部に配電ボックス３を取り付ける場合は、図６に示す如く向かって右側に柱取付け面１５ａが来るようにボックス本体１２を配置し、そのボックス本体１２の左側に設けた上下の第１蝶番部材２９に第２蝶番部材３０をそれぞれ係合させて左方向へ開閉可能に蓋体１３を取り付ける。次に、電線引込み用柱２に対向して柱取付け面１５ａを取り付け面として配電ボックス３を配置し、ボックス本体１２に形成したボックス側開口２０を前記柱側開口１１に一致させる。その後、ボックス本体１２の固定用孔２１にボルトを取り付けて、前記配電ボックス３を電線引込み用柱２に固定する。
【００２７】
このようにして電線引込み用柱２の左側部に配電ボックス３を取り付けた後は、外部からそのポール内部に引き込まれた一次側電線９と地中埋設配線に接続される二次側電線１０とを、前記ボックス本体１２内に収容させた機器類にそれぞれ接続する。
【００２８】
本実施形態の柱取付け用配電ボックス構造では、電線引込み用柱２の右側部に配電ボックス３を取り付けた図３の例に対して、電線引込み用柱２の左側部に配電ボックス３を取り付けた図４の例とするには、蓋体１３の向きは同一（上部に覗き窓２９がある向き）とし、ボックス本体１２の取り付け向きを図３の状態から右方向へ１８０度反転させ、蝶番２８の取り付けを逆にして前記蓋体１３を取り付けるだけで、同一構造の配電ボックス３にて電線引込み用柱２の軸芯に対して右側部でも左側部でも取り付けることができる。
【００２９】
本実施形態の柱取付け用配電ボックス構造では、電線引込み用柱２の軸芯を中心として左側部又は右側部に配電ボックス３を取り付けた構造であるので、図９に示すように、従来構造である電線引込み用柱２の正面に配電ボックス３を取り付けた構造に対してその電線引込み用柱２の前方に配電ボックス３の厚み分だけ有効スペース３０が広がる。図９では、前記有効スペース３０を斜線で表している。
【００３０】
例えば図２に示すように、従来構造では塀６の近傍に電線引込み用柱２を立設することができず駐車場７のスペースを狭めてしまうが、本実施形態では前記有効スペース３０が生まれるために駐車場７のスペースを狭めることがない。なお、配電ボックス３を取り付けた電線引込み用柱２の立設位置は、一例であって図２に限定されるものではない。
【００３１】
本実施形態によれば、電線引込み用柱２の軸芯を中心として左側部又は右側部の何れにも配電ボックス３を取り付けることができるので、柱正面しか配電ボックス３を取り付けることができなかったことによる無駄スペースを無くすことができ、設置スペースの省スペース化を図ることができる。特に、本実施形態によれば、塀６等の壁面に沿って電線引込み用柱２を立てたときにスペースの有効活用が有用なものとなる。
【００３２】
また、本実施形態によれば、配電ボックス３の電線引込み用柱２への取り付けに際しては、左専用又は右専用の配電ボックスを使用することなく、ボックス本体１２の取り付け向きを変えるだけで電線引込み用柱２の左側部と右側部の何れにも取り付けることができる。そのため、本実施形態によれば、配電ボックス３の電線引込み用柱２への取り付け位置を左側部か右側部かにするだけで、あらゆる形態の設置場所に適合できる。例えば、配線引込み用柱２の右側部が壁６である場合は、配電ボックス３を左側部に取り付け、左側部が壁６である場合は、配電ボックス３を右側部に取り付けることができ、設置場所に左右され難くなる。
【００３３】
また、本実施形態によれば、同一構造の配電ボックス３で電線引込み用柱２の左右に取り付けることができるので、ボックス構成部品の共通化が図れ、コスト低減を実現できる。
【００３４】
以上、本発明を適用した具体的な実施形態について説明したが、本発明は、上述の実施形態に制限されることはない。
【００３５】
例えば、上述の実施形態では、電線引込み用柱２に形成された柱側開口１１が一つの例としたが、一次側電線９の出入口専用と二次側電線１０の出入口専用の２つの柱側開口を電線引込み用柱２に形成した場合は、図１０に示すように、それらに対応する位置にボックス側開口２０を２つ形成する必要がある。このとき、ボックス側開口２０は、ボックス本体１２を１８０度反転させた場合でも前記２つの柱側開口１１と対向するように配電ボックス３の上下対象位置に形成する。
【００３６】
また、上述の実施形態では、電線引込み用柱２を円筒状のポールとしたが、断面形状が四角形等の形状とした電線引込み用柱２でも同様の作用効果を得ることができる。
【図面の簡単な説明】
【００３７】
【図１】図１は配電ボックスを電線引込み用柱に取り付けたときの構成図である。
【図２】図２は住宅敷地内に図１の電線引込み用柱を設置した施工例を示す図である。
【図３】図３は配電ボックスを電線引込み用柱の右側部に取り付けたときの要部拡大断面図である。
【図４】図４は配電ボックスを電線引込み用柱の左側部に取り付けたときの要部拡大断面図である。
【図５】図５は図３の取付け状態のときの配電ボックスの斜視図である。
【図６】図６は図４の取付け状態のときの配電ボックスの斜視図である。
【図７】図７は図５の配電ボックスの内部を透過して示す図である。
【図８】図８はボックス本体に蓋体を開閉自在に取り付けるための蝶番の斜視図である。
【図９】図９は本実施形態例と従来例の比較対照を示す図である。
【図１０】図１０はボックス側開口を２つ形成した例を示す配電ボックスの斜視図である。
【符号の説明】
【００３８】
２…電線引込み用柱
３…配電ボックス
４…建造物
５…敷地
６…塀
７…駐車場
８…垣根
９…一次側電線
１０…二次側電線
１１…柱側開口
１２…ボックス本体
１３…蓋体
１９…正面開口
２０…ボックス側開口
２３…電力量計（機器類）
２４…ＣＡＴＶ用保安器（機器類）
２５…光成端箱（機器類）
２６…ブレーカ（機器類）
２７…電話保安器（機器類）
２８…蝶番
【図１】
2010028946.tif 000003
【図２】
2010028946.tif 000004
【図３】
2010028946.tif 000005
【図４】
2010028946.tif 000006
【図５】
2010028946.tif 000007
【図６】
2010028946.tif 000008
【図７】
2010028946.tif 000009
【図８】
2010028946.tif 000010
【図９】
2010028946.tif 000011
【図１０】
2010028946.tif 000012